(57)【要約】【課題】複数のサービスに対する制御情報が伝送されるとき、無線資源の効率的な利用を可能にする移動通信システムのネットワーク側面でのサービスグループ化による制御情報の伝送。【解決手段】無線通信システムでポイントツーマルチポイントサービスを通信する方法において、予め決定された領域のための最初の複数個のポイントツーマルチポイントサービスと関連した最初のポイントツーマルチポイントサービスグループ識別子を含む第１のメッセージを、制御チャネルを通して受信する段階と；制御チャネルを通して、最初のポイントツーマルチポイントサービスグループ識別子と関連したポイントツーマルチポイントサービス識別子のリストを含む第２のメッセージを受信する段階と；ポイントツーマルチポイントサービス識別子のリストが、使用者装置が加入した一つ以上のサービスを含む場合、制御チャネルを通して受信された制御情報によって処理する段階とを含む。【選択図】図１０
2008530850.tif 000002
【特許請求の範囲】
【請求項１】
無線通信システムでポイントツーマルチポイントサービスを通信する方法において、
予め決定された領域のための最初の複数個のポイントツーマルチポイントサービスと関連した最初のポイントツーマルチポイントサービスグループ識別子を含む第１のメッセージを、制御チャネルを通して受信する段階と；
前記制御チャネルを通して、前記最初のポイントツーマルチポイントサービスグループ識別子と関連したポイントツーマルチポイントサービス識別子のリストを含む第２のメッセージを受信する段階と；
前記ポイントツーマルチポイントサービス識別子のリストが、使用者装置が加入した一つ以上のサービスを含む場合、前記制御チャネルを通して受信された制御情報によって処理する段階と；を含むポイントツーマルチポイントサービス通信方法。
【請求項２】
前記制御チャネルは、ポイントツーマルチポイント制御チャネルであることを特徴とする請求項１に記載のポイントツーマルチポイントサービス通信方法。
【請求項３】
前記第１のメッセージは、変更された制御情報と関連したポイントツーマルチポイントサービスのリストを含むことを特徴とする請求項１に記載のポイントツーマルチポイントサービス通信方法。
【請求項４】
前記第２のメッセージは、変更されていない制御情報と関連したポイントツーマルチポイントサービスのリストを含むことを特徴とする請求項１に記載のポイントツーマルチポイントサービス通信方法。
【請求項５】
前記第２のメッセージは、変更された制御情報と関連したポイントツーマルチポイントサービスのリストをさらに含み、前記ポイントツーマルチポイントサービスのリストは、前記最初のポイントツーマルチポイントサービスグループ識別子と関連していることを特徴とする請求項４に記載のポイントツーマルチポイントサービス通信方法。
【請求項６】
前記制御チャネルを通して受信された制御情報による前記処理段階は、前記第１及び第２のメッセージのうち前記一つ以上によって決定される過程を行う段階を含むことを特徴とする請求項１に記載のポイントツーマルチポイントサービス通信方法。
【請求項７】
一つ以上の前記最初の複数個のポイントツーマルチポイントサービスは、マルチメディア放送／マルチキャストサービス（ｍｕｌｔｉｍｅｄｉａ  ｂｒｏａｄｃａｓｔ／ｍｕｌｔｉｃａｓｔ  ｓｅｒｖｉｃｅ；ＭＢＭＳ）であることを特徴とする請求項１に記載のポイントツーマルチポイントサービス通信方法。
【請求項８】
前記制御チャネルは、ＭＢＭＳ制御チャネル（ＭＢＭＳ  ｃｏｎｔｒｏｌ  ｃｈａｎｎｅｌ；ＭＣＣＨ）を含むことを特徴とする請求項７に記載のポイントツーマルチポイントサービス通信方法。
【請求項９】
前記最初のポイントツーマルチポイントサービスグループ識別子と関連したサービスグループは、搬送波周波数上に伝送される一つ以上のＭＢＭＳを含み、前記最初のポイントツーマルチポイントサービスグループ識別子は、前記搬送波周波数の識別子に該当することを特徴とする請求項７に記載のポイントツーマルチポイントサービス通信方法。
【請求項１０】
前記最初のポイントツーマルチポイントサービスグループ識別子と関連したサービスグループは、パラメータの最初のセットを用いる一つ以上のＭＢＭＳを含み、前記最初のポイントツーマルチポイントサービスグループ識別子は、パラメータの前記最初のセットの識別子に該当することを特徴とする請求項７に記載のポイントツーマルチポイントサービス通信方法。
【請求項１１】
無線通信システムでポイントツーマルチポイントサービスを伝送する方法において、
予め決定された領域のための最初の複数個のポイントツーマルチポイントサービスと関連した最初のポイントツーマルチポイントサービスグループ識別子を含む第１のメッセージを、制御チャネルを通して伝送する段階と；
前記ポイントツーマルチポイントサービス識別子のリストが、使用者装置が加入した一つ以上のサービスを含む場合、前記制御チャネルを通して受信された制御情報による過程を使用者装置が行うように、前記最初のポイントツーマルチポイントサービスグループ識別子と関連したポイントツーマルチポイントサービス識別子のリストを含む第２のメッセージを、前記制御チャネルを通して伝送する段階と；を含むポイントツーマルチポイントサービス伝送方法。
【請求項１２】
前記制御チャネルは、ポイントツーマルチポイント制御チャネルであることを特徴とする請求項１１に記載のポイントツーマルチポイントサービス伝送方法。
【請求項１３】
前記第１のメッセージは、変更された制御情報と関連したポイントツーマルチポイントサービスのリストを含むことを特徴とする請求項１１に記載のポイントツーマルチポイントサービス伝送方法。
【請求項１４】
前記第２のメッセージは、変更されていない制御情報と関連したポイントツーマルチポイントサービスのリストを含むことを特徴とする請求項１１に記載のポイントツーマルチポイントサービス伝送方法。
【請求項１５】
前記第２のメッセージは、変更された制御情報と関連したポイントツーマルチポイントサービスのリストをさらに含み、前記ポイントツーマルチポイントサービスのリストは、前記最初のポイントツーマルチポイントサービスグループ識別子と関連していることを特徴とする請求項１４に記載のポイントツーマルチポイントサービス伝送方法。
【請求項１６】
一つ以上の前記最初の複数個のポイントツーマルチポイントサービスは、マルチメディア放送／マルチキャストサービス（ｍｕｌｔｉｍｅｄｉａ  ｂｒｏａｄｃａｓｔ／ｍｕｌｔｉｃａｓｔ  ｓｅｒｖｉｃｅ；ＭＢＭＳ）であることを特徴とする請求項１１に記載のポイントツーマルチポイントサービス伝送方法。
【請求項１７】
前記制御チャネルは、ＭＢＭＳ制御チャネル（ＭＢＭＳ  ｃｏｎｔｒｏｌ  ｃｈａｎｎｅｌ；ＭＣＣＨ）を含むことを特徴とする請求項１６に記載のポイントツーマルチポイントサービス伝送方法。
【請求項１８】
前記最初のポイントツーマルチポイントサービスグループ識別子と関連したサービスグループは、搬送波周波数上に伝送された一つ以上のＭＢＭＳを含み、前記最初のポイントツーマルチポイントサービスグループ識別子は、前記搬送波周波数の識別子に該当することを特徴とする請求項１６に記載のポイントツーマルチポイントサービス伝送方法。
【請求項１９】
前記最初のポイントツーマルチポイントサービスグループ識別子と関連したサービスグループは、パラメータの最初のセットを用いる一つ以上のＭＢＭＳを含み、前記最初のポイントツーマルチポイントサービスグループ識別子は、パラメータの前記最初のセットの識別子に該当することを特徴とする請求項１６に記載のポイントツーマルチポイントサービス伝送方法。
【請求項２０】
無線通信システムでポイントツーマルチポイントサービスを通信するための移動局において、
予め決定された領域のための最初の複数個のポイントツーマルチポイントサービスと関連した最初のポイントツーマルチポイントサービスグループ識別子を含む第１のメッセージを制御チャネルを通して受信し、前記最初のポイントツーマルチポイントサービスグループ識別子と関連したポイントツーマルチポイントサービス識別子のリストを含む第２のメッセージを前記制御チャネルを通して受信するように調節される受信機と；
前記ポイントツーマルチポイントサービス識別子のリストが、使用者装置が加入した一つ以上のサービスを含む場合、前記制御チャネルを通して受信された制御情報によって処理するように調節される処理器と；を含む移動局。
【請求項２１】
前記制御チャネルは、ポイントツーマルチポイント制御チャネルであることを特徴とする請求項２０に記載の移動局。
【請求項２２】
前記第１のメッセージは、変更された制御情報と関連したポイントツーマルチポイントサービスのリストを含むことを特徴とする請求項２０に記載の移動局。
【請求項２３】
前記第２のメッセージは、変更されていない制御情報と関連したポイントツーマルチポイントサービスのリストを含むことを特徴とする請求項２０に記載の移動局。
【請求項２４】
前記第２のメッセージは、変更された制御情報と関連したポイントツーマルチポイントサービスのリストをさらに含み、前記ポイントツーマルチポイントサービスのリストは、前記最初のポイントツーマルチポイントサービスグループ識別子と関連していることを特徴とする請求項２３に記載の移動局。
【請求項２５】
前記処理器は、前記第１及び第２のメッセージのうち前記一つ以上によって決定される過程を行うための手段を含むことを特徴とする請求項２０に記載の移動局。
【請求項２６】
前記最初の複数個のポイントツーマルチポイントサービスの一つ以上は、マルチメディア放送／マルチキャストサービス（ｍｕｌｔｉｍｅｄｉａ  ｂｒｏａｄｃａｓｔ／ｍｕｌｔｉｃａｓｔ  ｓｅｒｖｉｃｅ；ＭＢＭＳ）であることを特徴とする請求項２０に記載の移動局。
【請求項２７】
前記制御チャネルは、ＭＢＭＳ制御チャネル（ＭＢＭＳ  ｃｏｎｔｒｏｌ  ｃｈａｎｎｅｌ；ＭＣＣＨ）を含むことを特徴とする請求項２６に記載の移動局。
【請求項２８】
前記最初のポイントツーマルチポイントサービスグループ識別子と関連したサービスグループは、搬送波周波数上で伝送された一つ以上のＭＢＭＳを含み、前記最初のポイントツーマルチポイントサービスグループ識別子は、前記搬送波周波数の識別子に該当することを特徴とする請求項２６に記載の移動局。
【請求項２９】
前記最初のポイントツーマルチポイントサービスグループ識別子と関連したサービスグループは、パラメータの最初のセットを用いる一つ以上のＭＢＭＳを含み、前記最初のポイントツーマルチポイントサービスグループ識別子は、パラメータの前記最初のセットの識別子に該当することを特徴とする請求項２６に記載の移動局。
【請求項３０】
無線通信システムでポイントツーマルチポイントサービスを伝送するためのネットワークにおいて、
予め決定された領域のための最初の複数個のポイントツーマルチポイントサービスと関連した最初のポイントツーマルチポイントサービスグループ識別子を含む第１のメッセージを制御チャネルを通して伝送し、ポイントツーマルチポイントサービス識別子のリストが、使用者装置が加入した一つ以上のサービスを含む場合、前記制御チャネルを通して受信された制御情報による過程を使用者装置が行うように、前記最初のポイントツーマルチポイントサービスグループ識別子と関連した前記ポイントツーマルチポイントサービス識別子のリストを含む第２のメッセージを前記制御チャネルを通して伝送するように調節される伝送機を含むネットワーク。
【請求項３１】
前記制御チャネルは、ポイントツーマルチポイント制御チャネルであることを特徴とする請求項３０に記載のネットワーク。
【請求項３２】
前記第１のメッセージは、変更された制御情報と関連したポイントツーマルチポイントサービスのリストを含むことを特徴とする請求項３０に記載のネットワーク。
【請求項３３】
前記第２のメッセージは、変更されていない制御情報と関連したポイントツーマルチポイントサービスのリストを含むことを特徴とする請求項３０に記載のネットワーク。
【請求項３４】
前記第２のメッセージは、変更された制御情報と関連したポイントツーマルチポイントサービスのリストをさらに含み、前記ポイントツーマルチポイントサービスのリストは、前記最初のポイントツーマルチポイントサービスグループ識別子と関連していることを特徴とする請求項３３に記載のネットワーク。
【請求項３５】
前記最初の複数個のポイントツーマルチポイントサービスの一つ以上は、マルチメディア放送／マルチキャストサービス（ｍｕｌｔｉｍｅｄｉａ  ｂｒｏａｄｃａｓｔ／ｍｕｌｔｉｃａｓｔ  ｓｅｒｖｉｃｅ；ＭＢＭＳ）であることを特徴とする請求項３０に記載のネットワーク。
【請求項３６】
前記制御チャネルは、ＭＢＭＳ制御チャネル（ＭＢＭＳ  ｃｏｎｔｒｏｌ  ｃｈａｎｎｅｌ；ＭＣＣＨ）を含むことを特徴とする請求項３５に記載のネットワーク。
【請求項３７】
前記最初のポイントツーマルチポイントサービスグループ識別子と関連したサービスグループは、搬送波周波数上で伝送された一つ以上のＭＢＭＳを含み、前記最初のポイントツーマルチポイントサービスグループ識別子は、前記搬送波周波数の識別子に該当することを特徴とする請求項３５に記載のネットワーク。
【請求項３８】
前記最初のポイントツーマルチポイントサービスグループ識別子と関連したサービスグループは、パラメータの最初のセットを用いる一つ以上のＭＢＭＳを含み、前記最初のポイントツーマルチポイントサービスグループ識別子は、パラメータの前記最初のセットの識別子に該当することを特徴とする請求項３５に記載のネットワーク。
【請求項３９】
無線通信システムでポイントツーマルチポイントサービスを通信する方法において、
ネットワークのための最初の複数個の活性化されたポイントツーマルチポイントサービスと関連した最初のポイントツーマルチポイントサービスグループ識別子を、制御チャネルを通して受信する段階と；
最初の制御情報を用いてポイントツーマルチポイントサービスを受信する段階と；
変更サービス情報メッセージ及び非変更サービス情報メッセージのうち一つ以上を含むポイントツーマルチポイントサービスメッセージを受信する段階として、前記ポイントツーマルチポイントサービスメッセージは、２番目の複数個の活性化されたポイントツーマルチポイントサービスと関連した２番目のポイントツーマルチポイントサービスグループ識別子、及び前記２番目の複数個の活性化されたポイントツーマルチポイントサービスと関連した変更された制御情報を含むことを特徴とする段階と；
前記２番目のポイントツーマルチポイントサービスグループ識別子が、移動局によって受信されている前記ポイントツーマルチポイントサービスと関連している場合、前記変更された制御情報に応答して前記ポイントツーマルチポイントサービスの前記最初の制御情報を変更する段階と；を含むポイントツーマルチポイントサービス通信方法。
【発明の詳細な説明】
【技術分野】
【０００１】
本発明は、移動通信システムに関するもので、より具体的には、移動通信システムにおける制御情報の伝送に関するものである。
【背景技術】
【０００２】
図１は、汎用移動通信システム（Ｕｎｉｖｅｒｓａｌ  ｍｏｂｉｌｅ  ｔｅｌｅｃｏｍｍｕｎｉｃａｔｉｏｎｓ  ｓｙｓｔｅｍ；以下、ＵＭＴＳという。）の網構造を示した図である。
【０００３】
図１に示すように、前記ＵＭＴＳは、端末（Ｕｓｅｒ  Ｅｑｕｉｐｍｅｎｔ：以下、ＵＥという。）、ＵＭＴＳ無線接続網（ＵＭＴＳ  Ｔｅｒｒｅｓｔｒｉａｌ  Ｒａｄｉｏ  Ａｃｃｅｓｓ  Ｎｅｔｗｏｒｋ：以下、ＵＴＲＡＮという。）及び核心網（Ｃｏｒｅ  Ｎｅｔｗｏｒｋ：以下、ＣＮという。）とから構成される。前記ＵＴＲＡＮは、一つ以上の無線網サブシステム（Ｒａｄｉｏ  Ｎｅｔｗｏｒｋ  Ｓｕｂｓｙｓｔｅｍ：以下、ＲＮＳという。）を含み、各ＲＮＳは、無線網制御器（ｒａｄｉｏ  ｎｅｔｗｏｒｋ  ｃｏｎｔｒｏｌｌｅｒ：以下、ＲＮＣという。）及び前記ＲＮＣによって管理される一つ以上の基地局（すなわち、Ｎｏｄｅ  Ｂ）を含む。前記基地局は、一つ以上のセルを含む。
【０００４】
図２は、３ＧＰＰ（３ｒｄ  Ｇｅｎｅｒａｔｉｏｎ  Ｐａｒｔｎｅｒｓｈｉｐ  Ｐｒｏｊｅｃｔ）無線接続網規格を基盤とする端末とＵＴＲＡＮとの間の無線インターフェースプロトコルを示す図である。
【０００５】
図２に示すように、前記無線インターフェースプロトコルは、水平的には物理階層、データリンク階層及びネットワーク階層を含む。また、前記無線インターフェースプロトコルは、垂直的にはデータ情報伝送のための使用者平面（Ｕ−Ｐｌａｎｅ）、及びシグナリング伝送のための制御平面（Ｃ−Ｐｌａｎｅ）を含む。図２のプロトコル階層は、開放型システム間相互接続（Ｏｐｅｎ  Ｓｙｓｔｅｍ  Ｉｎｔｅｒｃｏｎｎｅｃｔｉｏｎ：ＯＳＩ）基準モデルの下位３個の階層に基づいて、Ｌ１（第１階層）、Ｌ２（第２階層）及びＬ３（第３階層）に分けられる。
【０００６】
以下、図２に示した各階層を説明する。物理階層は、第１階層として、物理チャネルを用いて上位階層に情報伝達サービスを提供する。前記物理階層は、媒体接続制御階層と物理階層との間でデータが伝達される伝達チャネルを通して、物理チャネル上の媒体接続制御（ｍｅｄｉｕｍ  ａｃｃｅｓｓ  ｃｏｎｔｒｏｌ；ＭＡＣ）階層に連結される。データは、他の物理階層の間で伝送され、より具体的に、伝送側の物理階層と受信側の物理階層との間で物理チャネルを通して伝送される。
【０００７】
２番目の階層である媒体接続制御（ＭＡＣ）階層は、論理チャネルを通してＭＡＣ階層上の無線リンク制御階層にサービスを提供する。前記２番目の階層である無線リンク制御（ｒａｄｉｏ  ｌｉｎｋ  ｃｏｎｔｒｏｌ；ＲＬＣ）階層は、信頼するに値するデータ伝達を支援し、上位階層から送られてきたＲＬＣサービスデータユニットの分割及び連結機能を行う。
【０００８】
３番目の階層である最も下部に位置した無線資源制御（ｒａｄｉｏ  ｒｅｓｏｕｒｃｅ  ｃｏｎｔｒｏｌ；ＲＲＣ）階層は、制御平面内のみで定義され、無線ベアラ（ｒａｄｉｏ  ｂｅａｒｅｒ；ＲＢ）の構成、再構成及び解除と一緒に、論理チャネル、伝達チャネル及び物理チャネルを制御する。この場合、前記ＲＢは、前記ＵＥとＵＴＲＡＮとの間でのデータ伝達のために２番目の階層によって提供されるサービスを含む。一般的に、ＲＢの構成は、特定のサービスを提供するために必要なプロトコル階層とチャネルの特徴を定義し、それぞれの特定のパラメータ及び動作方法を設定する。
【０００９】
以下、マルチメディア放送／マルチキャストサービス（ｍｕｌｔｉｍｅｄｉａ  ｂｒｏａｄｃａｓｔ／ｍｕｌｔｉｃａｓｔ  ｓｅｒｖｉｃｅ；以下、ＭＢＭＳという。）を説明する。ＭＢＭＳは、ダウンリンク専用ＭＢＭＳベアラサービスを用いて複数のＵＥにストリーミングまたはバックグラウンドサービスを提供する。ＭＢＭＳは、一つのセッションの間に提供され、前記ＭＢＭＳのためのデータは、進行するセッションの間のみに前記ＭＢＭＳベアラサービスを通して複数のＵＥに伝送される。ＵＥは、最初には前記ＵＥが加入したＭＢＭＳを受信するための動作を行い、前記活性化されたサービスのみを受信する。
【００１０】
前記ＵＴＲＡＮは、前記ＭＢＭＳベアラサービスをＲＢを用いて一つ以上のＵＥに提供する。前記ＵＴＲＡＮによって用いられる前記ＲＢは、ポイントツーポイント（ｐｏｉｎｔ−ｔｏ−ｐｏｉｎｔ）ＲＢ、及びポイントツーマルチポイント（ｐｏｉｎｔ−ｔｏ−ｍｕｌｔｉｐｏｉｎｔ）ＲＢを含む。前記ポイントツーポイントＲＢは、両方向ＲＢで、論理チャネルであるＤＴＣＨ（ｄｅｄｉｃａｔｅｄ  ｔｒａｆｆｉｃ  ｃｈａｎｎｅｌ）、伝達チャネルであるＤＣＨ（ｄｅｄｉｃａｔｅｄ  ｃｈａｎｎｅｌ）、及び物理チャネルであるＤＰＣＨ（ｄｅｄｉｃａｔｅｄ  ｐｈｙｓｉｃａｌ  ｃｈａｎｎｅｌ）または物理チャネルであるＳＣＣＰＣＨ（ｓｅｃｏｎｄａｒｙ  ｃｏｍｍｏｎ  ｃｏｎｔｒｏｌ  ｐｈｙｓｉｃａｌ  ｃｈａｎｎｅｌ）によって構成される。ポイントツーマルチポイントＲＢは、単方向ダウンリンクＲＢで、論理チャネルであるＭＴＣＨ（ＭＢＭＳ  ｔｒａｆｆｉｃ  ｃｈａｎｎｅｌ）、伝達チャネルであるＦＡＣＨ（ｆｏｒｗａｒｄ  ａｃｃｅｓｓ  ｃｈａｎｎｅｌ）、及び物理チャネルであるＳＣＣＰＣＨによって構成される。論理チャネルであるＭＴＣＨは、一つのセルに提供される各ＭＢＭＳのために構成され、複数のＵＥに特定のＭＢＭＳの使用者平面データを伝送するために使用される。
【００１１】
図３に示すように、論理チャネルＭＣＣＨ（ＭＢＭＳ  ｃｏｎｔｒｏｌ  ｃｈａｎｎｅｌ）は、ポイントツーマルチポイントダウンリンクチャネルで、前記ＭＢＭＳと関連した制御情報を伝送するために使用される。前記論理チャネルＭＣＣＨは、前記伝達チャネルであるＦＡＣＨにマッピングされ、伝達チャネルＦＡＣＨは、物理チャネルＳＣＣＰＣＨにマッピングされる。セルは、一つだけのＭＣＣＨを有する。
【００１２】
図３は、ポイントツーマルチポイントＲＢを示す図である。
【００１３】
図３に示すように、前記ポイントツーマルチポイントＲＢは、論理チャネルであるＭＴＣＨ及び伝達チャネルであるＦＡＣＨ、及び物理チャネルであるＳＣＣＰＣＨを含む単方向ＲＢである。前記論理チャネルＭＴＣＨは、単一のセルに提供される各ＭＢＭＳサービスのために構成され、複数の使用者に特定のＭＢＭＳサービスの使用者平面データを伝送するために使用される。
【００１４】
ＭＢＭＳサービスを提供する前記ＵＴＲＡＮは、複数の端末にＭＢＭＳ関連制御メッセージ（すなわち、ＭＢＭＳサービスデータ関連ＲＲＣメッセージ）をＭＣＣＨを通して伝送する。ＭＢＭＳ関連メッセージの例は、ＭＢＭＳサービスデータを知らせるメッセージ及び／またはポイントツーマルチポイントＲＢデータを知らせるメッセージを含む。図１２を参照すると、前記論理チャネルＭＣＣＨは、伝達チャネルＦＡＣＨにマッピングされるポイントツーマルチポイントダウンリンクチャネルで、ＦＡＣＨは、物理チャネルＳＣＣＰＣＨにマッピングされる。単一のセルには、一つだけのＭＣＣＨが存在する。
【００１５】
ポイントツーマルチポイントＲＢを用いる特定のＭＢＭＳを受信しようとする端末は、前記ＭＣＣＨを通してＲＢデータを含むＲＲＣメッセージを一番最初に受信する。その後、前記ポイントツーマルチポイントＲＢは、そのＲＢデータを用いる前記端末と一緒に設定される。その後、前記端末は、前記物理チャネルＳＣＣＰＣＨ（すなわち、前記ＭＴＣＨがマッピングされるチャネル）を継続的に受信し、前記ＭＴＣＨを通して伝送される特定のＭＢＭＳサービスのデータを獲得する。
【００１６】
ポイントツーマルチポイントＲＢを用いる特定のＭＢＭＳサービスの一つのセッションが完了すると、前記ＵＴＲＡＮは、前記特定のＭＢＭＳサービスを受信する前記各端末に、前記ＭＣＣＨを通してポイントツーマルチポイントベアラの解除を指示するメッセージを伝送する。また、前記ＵＴＲＡＮは、ＲＮＣ及びＮｏｄｅ  Ｂに設定されたポイントツーマルチポイントＲＢを解除する。一方、前記確認されたメッセージを受信していた端末は、前記特定のＭＢＭＳサービスのために前記端末に設定されたポイントツーマルチポイントＲＢを解除する。
【００１７】
特定のＭＢＭＳサービスが進行される間、そのサービスに対する一つ以上のセッションが連続的に発生しうる。その場合、セッションは、多様な方式で定義される。例えば、一つのセッションは、多重エピソードドラマのそれぞれの完全なエピソードであり、一つのセッションは、サッカー競技でゴールを決める場面などのようなスポーツプログラムの一定の部分である。
【００１８】
特定のＭＢＭＳサービスのために伝送されるデータがＭＢＭＳデータソースで生成されるとき、ＣＮは、ＲＮＣにセッションの開始を知らせる。これと対照的に、前記ＭＢＭＳデータソースで特定のＭＢＭＳサービスのために伝送されるデータがこれ以上ないとき、ＣＮは、ＲＮＣにセッションの停止を知らせる。前記セッションの開始と停止との間で、特定のＭＢＭＳサービスのためのデータ伝達手順が行われる。その場合、ＭＢＭＳサービスのためにマルチキャストグループに参加してきた端末のみが、前記データ伝達過程によって伝送されるデータを受信することができる。
【００１９】
上述したセッションの開始手順で、ＣＮからセッションの開始を受信したＵＴＲＡＮは、各端末にＭＢＭＳ通知を伝送する。その場合、ＭＢＭＳ通知は、端末に何れかのセル内の特定のＭＢＭＳサービスのためのデータ伝送が差し迫ったことを知らせるためのＵＴＲＡＮの機能を示す。ＵＴＲＡＮは、特定のセル内で特定のＭＢＭＳサービスを受信しようとする端末の数を決定するカウンティング動作を行うために、ＭＢＭＳ通知手順を用いることができる。前記カウンティング手順は、特定のＭＢＭＳサービスを提供するためのＲＢがポイントツーマルチポイント（ｐｏｉｎｔ―ｔｏ―ｍｕｌｔｉｐｏｉｎｔ；ｐ―ｔ―ｍ）またはポイントツーポイント（ｐｏｉｎｉｔ―ｔｏ―ｐｏｉｎｔ；ｐ―ｔ―ｐ）として設定されるべきかどうかを決定するために用いられる。ＭＢＭＳ  ＲＢを選択するために、ＵＴＲＡＮは、内部的に臨界値を設定する。前記カウンティング機能を行った後、ＵＴＲＡＮは、該当するセル内に存在する端末の数が前記臨界値より小さい場合、ポイントツーポイントＭＢＭＳ  ＲＢを設定することができ、該当するセル内に存在する端末の数が前記臨界値より大きいかそれと同一である場合、ポイントツーマルチポイントＭＢＭＳ  ＲＢを設定することができる。
【００２０】
ポイントツーポイントＲＢが設定されると、ＵＴＲＡＮは、各端末（ＵＥ）に専用論理チャネルを割り当てて、該当するサービスのデータを送る。ポイントツーマルチポイントＲＢが設定されると、ＵＴＲＡＮは、該当するサービスのデータを送るためにダウンリンク共通論理チャネルを用いる。
【００２１】
図４は、ＭＢＭＳのためのＵＥ側でのチャネル構成を示す図である。図５は、ＭＣＣＨ情報の伝送技法を示す図である。
【００２２】
図５に示すように、ＭＢＭＳサービスを提供するＵＴＲＡＮは、ＭＣＣＨチャネルを通して複数のＵＥに前記ＭＣＣＨ情報を伝送する。前記ＭＣＣＨ情報は、変更周期及び反復周期によって周期的に伝送される。ＭＣＣＨ情報は、重要情報及び非重要情報に分類される。非重要情報は、伝送される各変更周期及び／または各反復周期ごとに自由に変更される。しかし、重要情報の変更は、各変更周期のみに行われる。このような方法で、重要情報は、各反復周期で１回のみ反復される。ところが、前記変更された重要情報は、変更周期の開始点のみで伝送される。
【００２３】
図４に示すように、ＵＴＲＡＮは、ＭＣＣＨ情報が前記変更周期の間に更新されるかどうかを通知するために、周期的に物理チャネルＭＩＣＨ（ＭＢＭＳ  ｎｏｔｉｆｉｃａｔｉｏｎ  ｉｎｄｉｃａｔｏｒ  ｃｈａｎｎｅｌ）を伝送する。したがって、特定のＭＢＭＳのみを受信しようとするＵＥは、サービスのセッションが開始される前まではＭＣＣＨまたはＭＴＣＨを受信せずに、周期的にＭＩＣＨを受信する。ＭＣＣＨ情報の更新は、ＭＣＣＨ情報の特定のアイテムの生成、追加、変更または除去を示す。
【００２４】
図４及び図５を再び参照すると、特定のＭＢＭＳのセッションが開始されると、ＵＴＲＡＮは、ＮＩ（ｎｏｔｉｆｉｃａｔｉｏｎ  ｉｎｄｉｃａｔｏｒ）を、ＭＣＣＨチャネルを受信することを通知する指示子（ｉｎｄｉｃａｔｏｒ）であるＭＩＣＨを通して特定のＭＢＭＳを受信しようとするＵＥに伝送する。前記ＮＩをＭＩＣＨを通して受信したＵＥは、前記ＭＩＣＨによって指示された特定の変更周期の間にＭＣＣＨを受信する。
【００２５】
ＭＣＣＨ情報は、ＭＢＭＳと関連した制御情報（すなわち、ＲＲＣメッセージ）で、ＭＢＭＳ変更サービス情報、ＭＢＭＳ非変更サービス情報、ＭＢＭＳポイントツーマルチポイントＲＢ情報、及び／または接続情報を含む。
【００２６】
ポイントツーマルチポイントＲＢを用いて特定のＭＢＭＳを受信しようとするＵＥは、ＭＣＣＨを通してＲＢ情報を含むＭＣＣＨ情報を受信し、その後、前記受信された情報を用いてポイントツーマルチポイントＲＢを構成する。前記ポイントツーマルチポイントＲＢの構成を完了した後、前記ＵＥは、ＭＴＣＨを通して伝送された特定のＭＢＭＳのデータを獲得するために、ＭＴＣＨがマッピングされる物理チャネルＳＣＣＰＣＨを継続的に受信する。
【００２７】
ＵＴＲＡＮは、ＭＴＣＨを通してＭＢＭＳデータを不連続的に伝送することができる。その場合、ＵＴＲＡＮは、周期的にＭＴＣＨがマッピングされるＭＳＣＨ（すなわち、ＭＴＣＨを伝達するＳＣＣＰＣＨ）を通して各ＵＥにスケジューリングメッセージを伝送する。スケジューリングメッセージは、一つのスケジューリング周期の間に伝送されるＭＢＭＳデータの伝送開始時点及び伝送周期を知らせる。このために、ＵＴＲＡＮは、ＵＥに予めスケジューリング情報の伝送周期（すなわち、スケジューリング周期）を知らせる。
【００２８】
ＵＴＲＡＮが特定のＭＢＭＳのための上述したメッセージを伝送するとき、特定のＭＢＭＳを識別するためのＭＢＭＳサービス識別子及び／またはＭＢＭＳ伝送識別子は、前記メッセージ内に含まれる。ＭＢＭＳ伝送識別子は、ＭＢＭＳセッション識別子及びＭＢＭＳサービス識別子を含む。例えば、ＭＢＭＳ変更サービス情報メッセージが伝送されるとき、ＭＢＭＳ伝送識別子及びそのＭＢＭＳ伝送識別子に該当するサービス情報は、伝送されるメッセージ内に含まれる。
【００２９】
周波数階層集中（ｆｒｅｑｕｅｎｃｙ  ｌａｙｅｒ  ｃｏｎｖｅｒｇｅｎｃｅ）方式がＭＢＭＳで用いられ、異なる周波数を用いる各セルがそれぞれ重なると、ＵＴＲＡＮは、特定の周波数を用いる各セル内で提供されるＭＢＭＳを作ることができる。ＭＢＭＳのために特定の周波数を用いる各セルは、選好階層（ｐｒｅｆｅｒｒｅｄ  ｌａｙｅｒ；以下、ＰＬという。）と呼ばれる。ＰＬ内に含まれた各セル内に集中されるＭＢＭＳを各ＵＥが受信するための方法は、周波数階層集中（ｆｒｅｑｕｅｎｃｙ  ｌａｙｅｒ  ｃｏｎｖｅｒｇｅｎｃｅ；以下、ＦＬＣという。）技法と呼ばれる。ＦＬＣ技法は、階層的セル構造（ｈｉｅｒａｒｃｈｉｃａｌ  ｃｅｌｌ  ｓｔｒｕｃｔｕｒｅ；ＨＣＳ）及び非階層的セル構造（ｎｏｎ―ｈｉｅｒａｒｃｈｉｃａｌ  ｃｅｌｌ  ｓｔｒｕｃｔｕｒｅ）内で全て用いられる。ＦＬＣ情報は、目標周波数（すなわち、ＰＬの周波数）及びセル決定の間に適用されるオフセットを含む。
【発明の開示】
【発明が解決しようとする課題】
【００３０】
しかしながら、既存の方式においては、ＵＴＲＡＮが、伝送されるメッセージ内の複数のサービスのための情報を含むとき、ＭＢＭＳサービス識別子及び／またはＭＢＭＳ伝送識別子及び全てのサービスのための情報は、前記メッセージ内に含まれる。そのため、前記メッセージの大きさが増加し、無線資源を浪費する結果をもたらす。
【００３１】
したがって、本発明は、関連技術の制限及び短所による一つ以上の問題を本質的に防止する、サービスグループ化による移動通信システムにおける制御情報の伝送を指向する。
【００３２】
本発明の目的は、複数のサービスに対する制御情報が伝送されるとき、無線資源の効率的な利用を可能にする移動通信システムのネットワーク側面でのサービスグループ化による制御情報の伝送を提供することにある。
【００３３】
本発明の付加的な長所、目的及び特徴は、以下の説明を通して部分的に展開されており、以下の実施例で本発明の技術分野における当業者にとって明確になるとともに、本発明の実現を通して習得されるだろう。本発明の目的及び他の長所は、添付の図面だけでなく、発明の詳細な説明及び特許請求の範囲で特別に指摘された構造によって実現・獲得されるだろう。
【課題を解決するための手段】
【００３４】
この明細書で具体化されて幅広く説明された本発明の目的及び他の長所を達成するために、本発明の一実施例において、無線通信システムにおけるポイントツーマルチポイントサービス通信方法は、予め決定された領域のための最初の複数個のポイントツーマルチポイントサービスと関連した最初のポイントツーマルチポイントサービスグループ識別子を含む第１のメッセージを、制御チャネルを通して受信する段階を含む。また、前記ポイントツーマルチポイントサービス通信方法は、前記最初のポイントツーマルチポイントサービスグループ識別子と関連したポイントツーマルチポイントサービス識別子のリストを含む第２のメッセージを、前記制御チャネルを通して受信する段階を含む。また、前記ポイントツーマルチポイントサービス通信方法は、前記ポイントツーマルチポイントサービス識別子のリストが、使用者装置が加入した一つ以上のサービスを含む場合、前記制御チャネルを通して受信された制御情報による処理を含む。
【００３５】
前記制御チャネルは、ポイントツーマルチポイント制御チャネルである。前記最初のメッセージは、変更された制御情報と関連したポイントツーマルチポイントサービスのリストを含む。前記第２のメッセージは、変更されていない制御情報と関連したポイントツーマルチポイントサービスのリストを含む。前記第２のメッセージは、変更された制御情報と関連したポイントツーマルチポイントサービスのリストをさらに含み、前記ポイントツーマルチポイントサービスのリストは、前記最初のポイントツーマルチポイントサービスグループ識別子と関連している。前記制御チャネルを通して受信された制御情報による前記処理段階は、前記第１及び第２のメッセージのうち一つ以上によって決定される過程を行う段階を含む。前記最初の複数個のポイントツーマルチポイントサービスのうち一つ以上は、マルチメディア放送／マルチキャストサービス（ＭＢＭＳ）である。前記制御チャネルは、ＭＢＭＳ制御チャネル（ＭＢＭＳ  ｃｏｎｔｒｏｌ  ｃｈａｎｎｅｌ；ＭＣＣＨ）を含む。前記最初のポイントツーマルチポイントサービスグループ識別子と関連したサービスグループは、搬送波周波数上で伝送される一つ以上のＭＢＭＳを含み、前記最初のポイントツーマルチポイントサービスグループ識別子は、前記搬送波周波数の識別子に該当する。また、これと異なって、前記最初のポイントツーマルチポイントサービスグループ識別子と関連したサービスグループは、パラメータの最初のセットを用いる一つ以上のＭＢＭＳを含み、前記最初のポイントツーマルチポイントサービスグループ識別子は、パラメータの前記最初のセットの識別子に該当する。
【００３６】
本発明の他の実施例において、無線通信システムでポイントツーマルチポイントサービスを伝送する方法は、制御チャネルを通して、予め決定された領域のための最初の複数個のポイントツーマルチポイントサービスと関連した最初のポイントツーマルチポイントサービスグループ識別子を含む第１のメッセージを伝送する段階を含む。また、前記伝送方法は、ポイントツーマルチポイントサービス識別子のリストが、使用者装置が加入した一つ以上のサービスを含む場合、前記制御チャネルを通して受信された制御情報によって使用者装置が各過程を行うように、前記最初のポイントツーマルチポイントサービスグループ識別子と関連したポイントツーマルチポイントサービス識別子のリストを含む第２のメッセージを、前記制御チャネルを通して伝送する段階を含む。
【００３７】
本発明の更に他の実施例において、無線通信システムでポイントツーマルチポイントサービスを通信する移動局は、制御チャネルを通して、予め決定された領域のための最初の複数個のポイントツーマルチポイントサービスと関連した最初のポイントツーマルチポイントサービスグループ識別子を含む第１のメッセージを受信するように調節され、前記制御チャネルを通して、前記最初のポイントツーマルチポイントサービスグループ識別子と関連したポイントツーマルチポイントサービス識別子のリストを含む第２のメッセージを受信するように調節される受信機を含む。また、前記移動局は、前記ポイントツーマルチポイントサービス識別子のリストが、使用者装置が加入した一つ以上のサービスを含む場合、前記制御チャネルを通して受信された制御情報による処理を行うように調節される処理器を含む。
【００３８】
本発明の更に他の実施例において、無線通信システムでポイントツーマルチポイントサービスを伝送するネットワークは、予め決定された領域のための最初の複数個のポイントツーマルチポイントサービスと関連した最初のポイントツーマルチポイントサービスグループ識別子を含む第１のメッセージを、制御チャネルを通して伝送するように調節され、ポイントツーマルチポイントサービス識別子のリストが、使用者装置が加入した一つ以上のサービスを含む場合、使用者装置が前記制御チャネルを通して受信された制御情報による処理を行うように、前記制御チャネルを通して前記最初のポイントツーマルチポイントサービスグループ識別子と関連した前記ポイントツーマルチポイントサービス識別子のリストを含む第２のメッセージを伝送するように調節される伝送機を含む。
【００３９】
本発明の更に他の実施例において、無線通信システムでポイントツーマルチポイントサービスを通信する方法は、制御チャネルを通して、ネットワークのための最初の複数個の活性化されたポイントツーマルチポイントサービスと関連した最初のポイントツーマルチポイントサービスグループ識別子を受信する段階と、最初の制御情報を用いてポイントツーマルチポイントサービスを受信する段階とを含む。また、前記通信方法は、変更サービス情報メッセージ及び非変更サービス情報メッセージのうち一つ以上を含むポイントツーマルチポイントサービスメッセージを受信する段階を含み、前記ポイントツーマルチポイントサービスメッセージは、２番目の複数個の活性化されたポイントツーマルチポイントサービスと関連した２番目のポイントツーマルチポイントサービスグループ識別子、及び前記２番目の複数個の活性化されたポイントツーマルチポイントサービスと関連した変更された制御情報を含む。また、前記通信方法は、前記２番目のポイントツーマルチポイントサービスグループ識別子が、移動局によって受信される前記ポイントツーマルチポイントサービスと関連している場合、前記変更された制御情報に応答して前記ポイントツーマルチポイントサービスの前記最初の制御情報を変更する段階を含む。
【００４０】
前記サービスは、マルチキャスト放送またはマルチキャストサービス（ＭＢＭＳ）であることが好ましい。
【００４１】
前記サービスグループは、一つ以上のサービスが属するグループによって定義されることが好ましい。
【００４２】
前記識別子及び前記グループ識別子は、ＭＣＣＨ（ＭＢＭＳ  Ｃｏｎｔｒｏｌ  Ｃｈａｎｎｅｌ）を通して前記ネットワークから受信されることが好ましい。
【００４３】
前記識別子は、伝送識別子または前記サービスのためのサービス識別子であり、前記グループ識別子は、伝送グループ識別子及び前記サービスグループのためのサービスグループ識別子であることが好ましい。
【００４４】
前記受信された情報は、変更周期ごとに変更され、反復周期ごとに反復的に伝送される変更サービス情報であることが好ましい。前記グループ識別子が、受信された変更サービス情報内に含まれると、前記ＵＥは、前記変更周期の間に前記サービスが変更されたことを認識する。
【００４５】
前記受信された情報は、変更周期ごとに変更され、反復周期ごとに反復的に伝送される非変更サービス情報であることが好ましい。前記グループ識別子が、受信された非変更サービス情報内に含まれると、前記ＵＥは、前記サービスが前記変更周期の間に変更されていないことを認識する。
【００４６】
前記サービスグループは、チャネルを通して伝送される一つ以上のＭＢＭＳが含まれるグループであることが好ましい。前記チャネルは、論理チャネル、伝達チャネルまたは物理チャネルである。その場合、前記グループ識別子は、前記チャネルの識別子と同一である。
【００４７】
前記サービスグループは、搬送波周波数上に伝送される一つ以上のＭＢＭＳが属するグループであることが好ましい。その場合、前記グループ識別子は、前記搬送波周波数の識別子と同一である。
【００４８】
前記サービスグループは、前記同一のパラメータを用いる一つ以上のＭＢＭＳに属するグループであることが好ましい。その場合、前記サービスグループのグループ識別子は、前記パラメータの識別子と同一である。
【００４９】
前記グループ識別子を含む前記情報は、前記サービスグループに属していない一つ以上のサービスのための一つ以上の識別子を含むことが好ましい。
【００５０】
本発明の上述した目的、特徴、様相及び長所と、他の目的、特徴、様相及び長所は、添付の図面を参照した下記のような詳細な説明によって一層明白になるだろう。
【００５１】
上述した本発明に対する一般的な説明と以下の詳細な説明は、全て例示的及び説明的なものであり、請求された通りの本発明に対する説明が追加的に提供される。
【産業上の利用可能性】
【００５２】
本発明は、３ＧＰＰによって標準化されている非同期無線移動通信システムなどのポイントツーマルチポイントサービスを提供する移動通信システムに適用可能である。
【発明を実施するための最良の形態】
【００５３】
以下、本発明の好適な実施例に対し、添付の図面に基づいて詳細に説明する。図中、同一の参照番号は、同一部分または対応部分を示すために用いられる。
【００５４】
本発明は、３ＧＰＰ規格による移動通信システム動作内で具現されるか、他の標準規格による移動通信システム内で具現される。
【００５５】
図６は、本発明の一実施例に係る、ＭＢＭＳ伝送グループ識別子と一緒にＭＢＭＳ伝送識別子をマッピングすることによる情報伝達技法を示す図である。
【００５６】
図６に示すように、ＵＴＲＡＮは、ＭＢＭＳサービスグループ及びそのＭＢＭＳサービスグループに属するＭＢＭＳサービスのリストを含むＭＣＣＨ情報を、ＭＣＣＨチャネルを通して一つ以上の使用者装置（ＵＥ）に伝送する。前記ＭＣＣＨ情報は、前記サービスグループのための伝送グループ識別子及び前記サービスグループに属する一つ以上のサービスのための一つ以上の伝送識別子をさらに含む。前記ＭＣＣＨ情報を受信する前記一つ以上のＵＥは、前記伝送グループ識別子及び前記サービスグループに属する前記一つ以上の伝送識別子を保存する。前記一つ以上のＵＥは、活性化されたサービスのための伝送識別子及び前記伝送識別子に属する伝送グループ識別子を保存することが好ましい。非活性化されたサービスのための伝送識別子及び活性化されていないサービスに属するサービスグループのための伝送グループ識別子は、保存されないこともある。
【００５７】
前記伝送グループ識別子と前記伝送識別子との間の前記マッピング関係は、特定の地帯（ｚｏｎｅ）内で有効である。特定の地帯は、セルであることが好ましい。したがって、前記特定の地帯から出ると、ＵＥは、前記保存された伝送グループ識別子及びそのサービスグループに属する伝送識別子を捨てる。図６を参照すると、ＵＴＲＡＮは、伝送されるＭＣＣＨ情報内に含まれる前記マッピング関係が有効な範囲を有する情報を生成することができる。すなわち、ＵＴＲＡＮは、前記マッピング関係が有効であるセルの範囲と関連した情報を伝送することができる。
【００５８】
サービスグループは、ＳＣＣＰＣＨ、ＦＡＣＨ、及びＭＴＣＨのうち一つである特定のチャネルを通して提供される一つ以上のサービスを含む。例えば、ＳＣＣＰＣＨを通して伝送される全てのサービスは、サービスグループにグループ化される。その場合、前記伝送グループ識別子またはサービスグループを識別するサービスグループ識別子は、ＳＣＣＰＣＨの識別子によって取り替えられる。また、これと異なって、ＦＡＣＨを通して伝送された全てのサービスは、サービスグループにグループ化される。その場合、伝送グループ識別子またはサービスグループを識別するサービスグループ識別子は、ＦＡＣＨの識別子によって取り替えられる。
【００５９】
また、これと異なって、前記サービスグループは、特定の周波数を用いるＰＬに属する一つ以上のセルによって提供される一つ以上のサービスを含む。その場合、伝送グループ識別子またはサービスグループを識別するサービスグループ識別子は、前記特定の周波数または前記ＰＬの識別子によって取り替えられる。
【００６０】
また、これと異なって、共通パラメータを用いる一つ以上のサービスは、サービスグループにグループ化される。その場合、前記伝送グループ識別子またはサービスグループを識別するサービスグループ識別子は、前記パラメータの識別子によって取り替えられる。
【００６１】
図１乃至図１１の前記伝送グループ識別子は、サービスグループ識別子及びＭＢＭＳサービス識別子によるＭＢＭＳ伝送識別子によって取り替えられる。ＭＢＭＳ伝送グループ識別子は、ＭＢＭＳ伝送識別子のグループで、ＭＢＭＳサービスグループ識別子は、ＭＢＭＳサービス識別子のグループである。
【００６２】
図７乃至図９は、本発明の一実施例に係るＭＢＭＳ伝送グループ識別子またはサービスグループ識別子の伝送と受信技法を示す信号フローチャートである。
【００６３】
本発明の好適な実施例では、図７乃至図９を参照すると、ＭＢＭＳのための制御情報を伝送するために、ＭＢＭＳの伝送識別子を伝送する代わりに、ＵＴＲＡＮは、ＭＢＭＳが属するサービスグループのＭＢＭＳ伝送グループ識別子を制御情報と一緒に伝送する。また、これと異なって、ＭＢＭＳが属するサービスグループのＭＢＭＳサービス識別子は、制御情報と一緒に伝送される。
【００６４】
図７は、ＭＢＭＳ伝送グループ識別子を含むＭＢＭＳ変更サービス情報メッセージの伝送技法の一例を示す。ＵＴＲＡＮは、変更されるサービス情報及びＭＢＭＳが属するサービスグループのＭＢＭＳ伝送グループ識別子を含むＭＢＭＳ変更サービス情報メッセージを伝送する。ＵＥは、ＭＢＭＳ変更サービス情報メッセージを受信し、ＭＢＭＳ伝送グループ識別子を獲得する。ＭＢＭＳは、伝送グループ識別子及びＵＥ内に保存された伝送グループに属する伝送識別子のリストを用いて、獲得された伝送グループ識別子に基づくＵＥによって確認される（図５を参照）。その後、ＵＥは、前記変更周期の間に識別されたＭＢＭＳが変更されたことを認識する。その後、ＵＴＲＡＮは、識別されたＭＢＭＳのための変更されたポイントツーマルチポイントＲＢ情報を含むＭＢＭＳポイントツーマルチポイントＲＢ情報メッセージをＵＥに伝送する。ＵＥは、前記識別されたＭＢＭＳに受信されたポイントツーマルチポイントＲＢ情報を適用する。
【００６５】
図８は、ＭＢＭＳ伝送グループ識別子を含むＭＢＭＳ非変更サービス情報メッセージを伝送する一例を示す。ＵＴＲＡＮは、サービス情報及びＭＢＭＳが属するサービスグループのＭＢＭＳ伝送グループ識別子を含むＭＢＭＳ非変更サービス情報メッセージを伝送する。ＵＥは、ＭＢＭＳ変更サービス情報メッセージを受信し、ＭＢＭＳ伝送グループ識別子を獲得する。ＭＢＭＳは、伝送グループ識別子及びＵＥ内に保存された伝送グループに属する伝送識別子の前記リストを用いて、獲得された伝送グループ識別子に基づくＵＥによって確認される（図５を参照）。その後、ＵＥは、変更周期の間に識別されたＭＢＭＳが変更されていないことを認識する。
【００６６】
図９は、ＭＢＭＳ伝送グループ識別子を含むＭＢＭＳスケジューリング情報メッセージを伝送する一例を示す。ＵＴＲＡＮは、特定の伝送グループのためのスケジューリング情報、及び伝送されるＭＢＭＳスケジューリング情報メッセージ内に含まれた特定の伝送グループを識別するためのＭＢＭＳ伝送グループ識別子を生成する。ＭＢＭＳは、伝送グループ識別子及びＵＥ内に保存された伝送グループに属する伝送識別子のリストを用いて、獲得された伝送グループ識別子に基づくＵＥによって確認される（図５を参照）。その後、ＵＥは、受信されたスケジューリング情報が、識別されたＭＢＭＳのためのものであることを認識する。
【００６７】
図７乃至図９において、伝送識別子及び／またはサービスグループ識別子を含むメッセージは、伝送グループまたはサービスグループに属していない他のサービスのための伝送識別子及び／またはサービス識別子をグループ識別子の代わりに含む。
【００６８】
図１０は、本発明の一実施例に係るＵＥ内の方法のフローチャートである。
【００６９】
図１０に示すように、ＵＥは、ＭＣＣＨを通してＭＢＭＳサービスのための識別子及びグループ識別子を受信し、一つ以上の活性化されたＭＢＭＳのための一つ以上の識別子及びグループ識別子を保存する［Ｓ９１］。ＵＥは、ＭＣＣＨを通してＲＲＣメッセージを受信する［Ｓ９２］。ＵＥは、ＲＲＣメッセージ内に前記一つ以上の識別子またはグループ識別子が含まれるかどうかをチェックする［Ｓ９３］。ＲＲＣメッセージ内に前記一つ以上の識別子またはグループ識別子が含まれていない場合、次のＲＲＣメッセージのためにＳ９３が反復される。そして、ＲＲＣメッセージ内に前記一つ以上の識別子またはグループ識別子が含まれる場合、ＵＥは、ＲＲＣメッセージによって指示された行動を行う［Ｓ９４］。
【００７０】
図１１は、本発明の一実施例に係るＭＢＭＳ全体変更指示子を示す図である。
【００７１】
図１１に示すように、ＭＢＭＳ全体変更指示子は、現在のセル内で一つ以上のＭＢＭＳサービスを受信する全てのＵＥに、現在の変更周期の間に伝送された特定のＭＣＣＨ情報または全てのＭＣＣＨ情報を受信することを知らせる。ＵＴＲＡＮは、全てのＭＢＭＳサービスまたは少なくとも特定の数のＭＢＭＳサービスのためのＭＣＣＨ情報が変更されるとき、ＭＢＭＳ全体変更指示子を伝送することができる。ＵＥが各変更周期内でＭＢＭＳ変更サービス情報メッセージを受信するので、ＭＢＭＳ全体変更指示子は、ＭＢＭＳ変更サービス情報を通して伝送されることが好ましい。
【００７２】
図１２は、本発明の他の実施例に係るＵＥ内の方法のフローチャートである。
【００７３】
図１２に示すように、ＵＥは、ＭＣＣＨを通してＭＢＭＳサービスのための識別子及びグループ識別子を受信し、一つ以上の活性化されたＭＢＭＳのための一つ以上の識別子及びグループ識別子を保存する［Ｓ１１１］。ＵＥは、周期的にＭＢＭＳメッセージなどのＲＲＣメッセージをＭＣＣＨを通して受信する［Ｓ１１２］。ＵＥは、ＲＲＣメッセージ内のＭＢＭＳ全体変更指示子が全体変更を指示するかどうかをチェックする［Ｓ１１３］。ＭＢＭＳ全体変更指示子が全体変更を指示する場合、ＵＥは、ＲＲＣメッセージによって指示された行動を行う［Ｓ１１５］。ＭＢＭＳ全体変更指示子が全体変更を指示しない場合、ＵＥは、ＲＲＣメッセージ内に前記活性化されたサービスのための前記一つ以上の識別子またはグループ識別子が含まれているかどうかをチェックする［Ｓ１１４］。ＲＲＣメッセージ内に前記活性化されたサービスのための前記一つ以上の識別子またはグループ識別子が含まれていない場合、次のＲＲＣメッセージのためにＳ１１２が反復される。そして、前記一つ以上の識別子またはグループ識別子がＲＲＣメッセージ内に含まれている場合、ＵＥは、ＲＲＣメッセージによって指示された行動を行う［Ｓ１１５］。例えば、全体変更指示子が全体変更を指示する場合、ＵＥは、変更周期の間に全体ＭＣＣＨ情報を受信することができる。
【００７４】
上述したように、本発明は、一つ以上のＵＥ及び前記一つ以上のＵＥに複数のサービスを提供するネットワークを含む移動通信システムで無線資源を効率的に用いるための、グループ化サービスによって制御情報を伝送する方法を開示する。複数のサービスは、ネットワーク及び一つ以上のＵＥによるサービスグループにマッピングされる。前記一つ以上のＵＥに複数のサービスのための制御情報を知らせるとき、ネットワークは、サービスグループを識別するためのグループ識別子を提供する。前記一つ以上のＵＥは、前記一つ以上のＵＥに提供されるサービスを識別するためのグループ識別子を用いる。
【００７５】
以下、マルチキャスト／放送サービス情報伝送の多様な実施例を、図１乃至図１３に基づいて説明する。
【００７６】
変更されたサービス情報（ｍｏｄｉｆｉｅｄ  ｓｅｒｖｉｃｅｓ  ｉｎｆｏｒｍａｔｉｏｎ；ＭＳＩ）及び変更されていないサービス情報（ｕｎｍｏｄｉｆｉｅｄ  ｓｅｒｖｉｃｅｓ  ｉｎｆｏｒｍａｔｉｏｎ；ＵＳＩ）メッセージ内の多数のＭＢＭＳサービスは、ＭＣＣＨ上に多くの負担を与える。したがって、このようなイシューを取り扱うために、多様な実施例が下記のように説明される。
【００７７】
方法１：伝送グループ識別子
ＭＳＩメッセージ内に多数個の伝送識別子を含むことを避けるために、伝送グループ識別子が、下記の表１のように提案される。伝送グループ識別子は、一つの物理チャネルまたは一つの選好周波数上で提供される全てのＭＢＭＳサービスを識別するために用いられる。伝送グループ識別子は、多様なサービスが一緒に更新されるとき、ＭＳＩメッセージの大きさを減少させることができる。
【００７８】
上記の場合、ＭＳＩ内で活性化されたサービスに関する伝送グループ識別子をＵＥが受信すると、ＵＥは、前記サービスのために受信されたＭＳＩの内容に基づいて行動する。このために、ＭＣＣＨ獲得手順を行う間、ＵＥは、伝送グループ識別子情報を獲得する必要がある。また、ＭＢＭＳ伝送グループ識別子は、ＵＳＩ及びサービススケジューリングメッセージに適用される。
【００７９】
【表１】
2008530850.tif 000003
下記のようなＭＢＭＳ伝送グループ識別子は、識別されたチャネルまたは識別された周波数上で提供されるＭＢＭＳサービスを識別する情報を含む。
【００８０】
【表２】
2008530850.tif 000004
方法２：サービスの指示
多少の変更が、一つのセル内で利用可能な全てのＭＢＭＳサービスに影響を与えることを注目すべきである。例えば、ＭＩＣＨ構成が変更されると、ＭＢＭＳサービスを活性化させていた全てのＵＥは、再構成されたＭＩＣＨ情報を受信すべきである。情報が再変更されるＭＴＣＨを伝達する一つだけのＳＣＣＰＣＨがあると、その後、一つのセル内の全てのＭＢＭＳ  ＵＥは、再構成された情報を読むように要請される。その場合、前記セル内の全てのＭＢＭＳ  ＵＥに、ＭＣＣＨを読むことが指示される。
【００８１】
【表３】
2008530850.tif 000005
方法３：ＭＳＩと一緒にＭＳＣＨ上の取り替え指示
ｐｔｍ  ＲＢが提供されるＭＢＭＳサービスを受信する間、ＵＥは、ＭＣＣＨだけでなくＭＳＣＨをチェックすることができる。その場合、ＵＴＲＡＮは、進行するＭＢＭＳサービスのためのＭＳＣＨを用いるか、ＭＢＭＳサービスの開始のためのＭＣＣＨ上のＭＳＩを使用することによって、ＭＣＣＨ情報の更新を指示することができる。したがって、ＵＴＲＡＮは、進行するＭＢＭＳサービスのためのＭＳＩ上のシグナリング負担を緩和させることができる。
【００８２】
【表４】
2008530850.tif 000006
ＭＴＣＨを受信する間、ＵＥは、周期的にＭＳＩだけでなくＭＳＣＨメッセージを読むことが要請される。このような方法で、ＵＥは、ＵＥが受信しているＳＣＣＰＣＨ上のサービスのために受信されたＭＳＣＨメッセージに基づいて行動することができる。その反面、ＵＥは、他のサービスのために受信されたＭＳＩメッセージに基づいて行動することができる。このオプションは、ＭＳＩメッセージのＵＥ受信を損傷せず、却って、ＭＳＣＨメッセージの付加的な解析を許可することができる。
【００８３】
ＭＢＭＳ伝送グループ識別子は、上述した方法１のように、ＭＳＩ及びＵＳＩメッセージ（他のＭＢＭＳメッセージと一緒に）に紹介される。さらに、上述した方法２のように、単純な指示がＭＳＩ内の全てのサービスのために提供される。また、１ビット取替え指示は、上述した方法３のように、ＭＳＣＨメッセージ上に適用される。
【００８４】
以下、マルチキャスト／放送サービス情報伝送の他の実施例を説明する。
【００８５】
一つのセルに多くの利用可能なサービスがある場合、ＭＢＭＳサービス情報メッセージの大きさが増加する。したがって、ＭＢＭＳサービス情報メッセージの最適化は、下記のように説明される。
【００８６】
一つのパラメータ値を取り替えることによって、パラメータと関連した複数のサービスのためのＭＣＣＨ情報の更新が行われる。例えば、そのような更新は、スケジューリング情報を結合するＭＢＭＳ  Ｌ１の取替え、ＭＩＣＨ構成情報の取替え、ＭＳＣＨ構成情報の取替え、現在セルまたは隣接セルのためのＳＣＣＰＣＨの取替え、及び／またはＭＢＭＳ選好周波数情報の取替えから誘発される。
【００８７】
ＭＢＭＳ伝送識別子が大きいので、多数個のサービスの更新は、ＭＣＣＨ伝送に負担になり得る。したがって、最適化を通してＭＳＩ（Ｍｏｄｉｆｉｅｄ  Ｓｅｒｖｉｃｅｓ  Ｉｎｆｏｒｍａｔｉｏｎ）メッセージ上の負担を減らすことが要望される。また、ＭＣＣＨレートは、一つのセルで多くのサービスが利用可能であるとき、ＵＳＩ（Ｕｎｍｏｄｉｆｉｅｄ  Ｓｅｒｖｉｃｅｓ  Ｉｎｆｏｒｍａｔｉｏｎ）メッセージを分けることで減少させることができる。
【００８８】
伝送グループ識別子
ＭＳＩメッセージ内に多数個の伝送識別子を含むことを避けるために、下記の表５に示した伝送グループ識別子が用いられる。伝送グループ識別子は、一つの物理チャネルまたは一つの選好周波数上で提供されるＭＢＭＳサービスを確認する。前記伝送グループ識別子は、多数のサービスが一緒に更新されるとき、ＭＳＩメッセージの大きさを減少させることができる。
【００８９】
【表５】
2008530850.tif 000007
下記に示すＭＢＭＳ伝送グループ識別子は、識別されたチャネル、セルまたは周波数上で提供されるＭＢＭＳサービスを確認する情報を含む。
【００９０】
【表６】
2008530850.tif 000008
ＵＥがセル内のＭＣＣＨ情報を追跡すると、ＵＥは、例えば、ＭＢＭＳ  ＣＵＲＲＥＮＴ  ＣＥＬＬ  Ｐ―Ｔ―Ｍ  ＲＢ  ＩＮＦＯＲＭＡＴＩＯＮメッセージまたはＭＢＭＳ  ＮＥＩＧＨＢＯＲＩＮＧ  ＣＥＬＬ  Ｐ―Ｔ―Ｍ  ＲＢ  ＩＮＦＯＲＭＡＴＩＯＮメッセージなどの他のＭＣＣＨ情報を用いて、ＭＳＩメッセージ上の伝送グループ識別子を解析することができる。その後、伝送グループ識別子が活性化されたサービスと関連していることをＵＥが知るようになると、ＵＥは、該当サービスのために受信されたＭＳＩの内容に基づいて行動することができる。
【００９１】
その反面、伝送グループ識別子がＭＳＩ（ｍｏｄｉｆｉｅｄ  ｓｅｒｖｉｃｅｓ  ｉｎｆｏｒｍａｔｉｏｎ）メッセージ内で用いられると、全ての利用可能なＭＢＭＳサービス識別子が、他のセルから来るＵＥを支援するために変更周期内でブロードキャストされるので、伝送グループに属する全てのサービスに対する情報は、ＵＳＩ（ｕｎｍｏｄｉｆｉｅｄ  ｓｅｒｖｉｃｅｓ  ｉｎｆｏｒｍａｔｉｏｎ）メッセージ内に含まれる。したがって、ＵＥが他のセルから来ると、そのＵＥは、ＭＳＩメッセージと一緒にＵＳＩを受信した後、伝送グループ識別子を解析することができる。
【００９２】
【表７】
2008530850.tif 000009
ＵＳＩの代わりに、例えば、ＭＢＭＳサービスグループ情報（ＭＢＭＳ  ＳＥＲＶＩＣＥ  ＧＲＯＵＰ  ＩＮＦＯＲＭＡＴＩＯＮ）メッセージと呼ばれるサービス情報メッセージは、下記の表８に示すように、ＭＳＩメッセージ内に含まれた伝送グループ識別子上のサービスのリストを伝送することができる。前記メッセージは、ＭＳＩまたはＵＳＩメッセージと同一の方式で伝送される。新しいセルに進入するＵＥは、前記グルーピング情報を獲得するために前記メッセージを受信する。しかし、セル内でＭＣＣＨ情報を追跡するＵＥは、前記メッセージを受信する必要がない。
【００９３】
【表８】
2008530850.tif 000010
全てのＭＢＭＳ  ＵＥの指示
多少の変化が、セル内の全てのＭＢＭＳ  ＵＥに影響を与えることを注意すべきである。例えば、ＭＩＣＨ構成が変わると、ＭＢＭＳサービスを活性化していた全てのＵＥは、再構成されたＭＩＣＨ情報を受信する必要がある。情報が再構成されるＭＴＣＨを伝達する一つだけのＳＣＣＰＣＨがある場合、セル内の全てのＭＢＭＳ  ＵＥは、再構成された情報を読むように要請される。その場合、セル内の全てのＭＢＭＳ  ＵＥにＭＣＣＨを読むことが、下記の表９に示すように、伝送グループ識別子の一部として指示される。
【００９４】
ＭＢＭＳ伝送グループ識別子は、識別されたチャネル、セルまたは周波数上で提供されるＭＢＭＳサービスを確認する情報を含む。
【００９５】
【表９】
2008530850.tif 000011
非変更サービス情報メッセージの分割
ＵＳＩの負担を減らすために、ＭＣＣＨレートが増加し／増加するか、ＭＣＣＨ変更／反復周期の長さが延長される。しかし、ＭＣＣＨレートを増加させることは、ＵＴＲＡＮとＵＥ資源の浪費に繋がる。また、より長いＭＣＣＨ周期は、ＭＣＣＨ情報のより遅い変更及びより長いＭＣＣＨ獲得時間に帰結する。したがって、利用可能なサービスは、多数のサービスグループに分けられる。その後、サービスグループは、下記の表１に示すように、それ自体の変更周期で順次伝送される。
【００９６】
例えば、表１０に示すように、３個のサービスグループ（ＳＧｓ）：ＳＧ１（青色）、ＳＧ２（紫色）及びＳＧ３（赤色）がある。ＳＧ１グループは、サービス１から５を含み、ＳＧ２グループは、サービス６から１０を含み、ＳＧ３グループは、サービス１１から１４を含む。例えば、サービスは、任意にサービスグループに割り当てられる。表１０を再び参照すると、特定の変更周期（ＭＰ）から（すなわち、表１０内のＭＰ＃１）、各グループは、３個のＭＰ長さを有して規則的に伝送される。したがって、新しいセルに進入するＵＥが、全てのサービス情報を獲得することを望む場合、ＵＥは、全てのＭＰから３個の連続的なＭＰのためのＵＳＩメッセージを受信すべきである。
【００９７】
【表１０】
2008530850.tif 000012
上記の方法で、ＵＳＩ内のサービス情報の分割と関係なしに、ＭＳＩメッセージは、現標準規格によってサービス情報を伝送する。すなわち、分けられた非変更サービス情報と一緒であっても、サービス変更は、各ＭＰで行われる。
【００９８】
例えば、下記の表２を参照すると、ＳＧ２（紫色）グループに属するサービス８のためのＭＣＣＨ情報がＭＰ＃１で変更されると、サービス８上の情報は、ＳＧ１（青色）グループのためのＭＰ＃１のＭＳＩで伝送される。したがって、サービスが特定のＭＰで変化するとき、前記サービスのためのサービス情報は、ＭＳＩの現動作によって前記サービスが変わるＭＰのＭＳＩで伝送される。
【００９９】
【表１１】
2008530850.tif 000013
上述したように、セル内で利用可能なサービスの数が増加すると、ＭＣＣＨレートが増加し／増加するか、ＭＰ長さが増加する。上述した方法によって、多くのサービスが到着すると、ＭＣＣＨレートが低くなり、ＭＰ長さが一定に維持される。
【０１００】
下記の表１２は、ＵＳＩメッセージに対する変化を示す。各ＵＳＩメッセージは、特定のサービスグループのためのサービス情報を含むことができ、ＵＥは、サービスが如何なるサービスグループに属するかを知る必要がない。ＵＥは、そのＵＥがセルに進入すると、全てのＵＳＩを獲得するために必要な連続的なＭＰの数を探すべきで、連続的なＭＰのためのＭＣＣＨを読む。連続的なＭＰの数は、下記の表に示すように、各ＵＳＩメッセージ上で信号される。連続的なＭＰのためのＭＣＣＨを受信することで全てのサービス情報を獲得すると、ＵＥは、ＭＳＩのみを受信することができ、平常時のように受信されたＭＳＩによってサービス情報を更新することができる。
【０１０１】
【表１２】
2008530850.tif 000014
上述したように、多数のＭＢＭＳサービス（すなわち、低いレートサービス）は、ＭＳＩメッセージに負担を与えることがある。ほとんどのＭＢＭＳ  ＵＥは、変更周期ごとにＭＳＩメッセージを受信する必要があるので、多くのＭＳＩメッセージは、特にＵＥ側上で好ましくない。したがって、ＭＢＭＳ伝送グループ識別子は、ＭＳＩ上のシグナリング負担を減らすために、ＭＳＩメッセージの大きさを減少させるように導入される。また、全てのＵＥのための単純な指示は、ＭＳＩ上のシグナリング負担を減らすためにＭＳＩ内で提供される。さらに、ＵＳＩメッセージ内に含まれたサービスは、ＵＳＩを有益にするために分割される。
【０１０２】
図１３は、本発明の多様な技術の遂行時に用いられる使用者装置（ＵＥ）のような、例示的な移動通信装置４００を示す図である。
【０１０３】
図１３は、例えば、本発明の方法を行うための移動電話である移動通信装置４００のブロック図を示している。移動通信装置４００は、マイクロプロセッサーまたはデジタル信号処理器などの処理ユニット４１０、ＲＦモジュール４３５、電力管理モジュール４０５、アンテナ４４０、バッテリ４５５、ディスプレイ４１５、キーパッド４２０、フラッシュメモリ、ＲＯＭ、ＳＲＡＭなどの保存ユニット４３０、スピーカー４４５及びマイクロホン４５０を含む。
【０１０４】
使用者は、電話番号などの指示情報を、キーパッド４２０のボタンを押す方法、またはマイクロホン４５０を用いた音声活性化などの方式で入力する。処理ユニット４１０は、電話番号をかけることなどの適切な機能を行うように指示する情報を受信して処理する。運営データは、前記機能を行うために保存ユニット４３０から回収される。また、処理ユニット４１０は、使用者の参考及び便宜のために、ディスプレイ４１５上に指示する情報及び運営情報を表示することができる。
【０１０５】
処理ユニット４１０は、例えば、音声通信データを含む無線信号を伝送することなどの、通信を開始するためにＲＦモジュール４３５に指示情報を発生させる。ＲＦモジュール４３５は、無線信号を受信して伝送する受信機及び伝送機を含む。アンテナ４４０は、無線信号の伝送及び受信を促進させる。無線信号を受信すると、ＲＦモジュール４３５は、処理ユニット４１０による処理のために基底帯域周波数に信号を伝達して変換することができる。処理された信号は、例えば、スピーカー４４５を通して出力された聞き取りまたは読み取り可能な情報に変換される。
【０１０６】
処理ユニット４１０は、保存ユニット４３０に、他の使用者から受信されたメッセージ及び他の使用者に伝達されたメッセージのメッセージ履歴データを保存し、使用者によって入力されたメッセージ履歴データのための条件付き要請を受信し、保存ユニットから条件付き要請に該当するメッセージ履歴データを読むための条件付き要請を処理し、ディスプレイユニット４１５にメッセージ履歴データを出力するように調節される。保存ユニット４３０は、受信されたメッセージ及び伝送されたメッセージのメッセージ履歴データを保存するように調節される。
【０１０７】
一実施例において、無線通信システムでポイントツーマルチポイントサービスを通信する方法は、制御チャネルを通して、予め決定された領域のための最初の複数のポイントツーマルチポイントサービスと関連した最初のポイントツーマルチポイントサービスグループ識別子を含む第１のメッセージを受信する段階を含む。また、前記通信方法は、前記最初のポイントツーマルチポイントサービスグループ識別子と関連したポイントツーマルチポイントサービス識別子のリストを含む第２のメッセージを、前記制御チャネルを通して受信する段階を含む。また、前記通信方法は、前記ポイントツーマルチポイントサービス識別子のリストが、使用者装置が加入した一つ以上のサービスを含む場合、前記制御チャネルを通して受信された制御情報によって処理する段階を含む。
【０１０８】
制御チャネルは、ポイントツーマルチポイント制御チャネルである。第１のメッセージは、変更された制御情報と関連したポイントツーマルチポイントサービスのリストを含む。第２のメッセージは、変更されていない制御情報と関連したポイントツーマルチポイントサービスのリストを含む。第２のメッセージは、変更された制御情報と関連したポイントツーマルチポイントサービスのリストをさらに含み、前記ポイントツーマルチポイントサービスのリストは、前記最初のポイントツーマルチポイントサービスグループ識別子と関連している。制御チャネルを通して受信された制御情報による処理段階は、前記第１及び第２のメッセージのうち一つ以上によって決定される処理を行う段階を含む。一つ以上の最初の複数のポイントツーマルチポイントサービスは、ＭＢＭＳである。制御チャネルは、  ＭＣＣＨを含む。最初のポイントツーマルチポイントサービスグループ識別子と関連したサービスグループは、搬送波周波数上に伝送された一つ以上のＭＢＭＳを含み、前記最初のポイントツーマルチポイントサービスグループ識別子は、前記搬送波周波数の識別子に該当する。また、これと異なって、前記最初のポイントツーマルチポイントサービスグループ識別子と関連したサービスグループは、パラメータの最初のセットを用いる一つ以上のＭＢＭＳを含み、前記最初のポイントツーマルチポイントサービスグループ識別子は、パラメータの前記最初のセットの識別子に該当する。
【０１０９】
他の実施例において、無線通信システムでポイントツーマルチポイントサービスを伝送する方法は、予め決定された領域のための最初の複数のポイントツーマルチポイントサービスと関連した最初のポイントツーマルチポイントサービスグループ識別子を含む第１のメッセージを、制御チャネルを通して伝送する段階を含む。また、前記伝送方法は、ポイントツーマルチポイントサービス識別子のリストが、使用者装置が加入した一つ以上のサービスを含む場合、前記制御チャネルを通して受信された制御情報による処理を使用者装置が行うように、前記最初のポイントツーマルチポイントサービスグループ識別子と関連したポイントツーマルチポイントサービス識別子のリストを含む第２のメッセージを、前記制御チャネルを通して伝送する段階を含む。
【０１１０】
更に他の実施例において、無線通信システムでポイントツーマルチポイントサービスを通信する移動局は、予め決定された領域のための最初の複数のポイントツーマルチポイントサービスと関連した最初のポイントツーマルチポイントサービスグループ識別子を含む第１のメッセージを制御チャネルを通して受信し、前記最初のポイントツーマルチポイントサービスグループ識別子と関連したポイントツーマルチポイントサービス識別子のリストを含む第２のメッセージを前記制御チャネルを通して受信するように調節される受信機を含む。また、移動局は、前記ポイントツーマルチポイントサービス識別子のリストが、使用者装置が加入した一つ以上のサービスを含む場合、前記制御チャネルを通して受信された制御情報によって処理するように調節される処理器を含む。
【０１１１】
更に他の実施例において、無線通信システムでポイントツーマルチポイントサービスを伝送するためのネットワークは、予め決定された領域のための最初の複数個のポイントツーマルチポイントサービスと関連した最初のポイントツーマルチポイントサービスグループ識別子を含む第１のメッセージを制御チャネルを通して伝送し、前記ポイントツーマルチポイントサービス識別子のリストが、使用者装置が加入した一つ以上のサービスを含む場合、前記制御チャネルを通して受信された制御情報による処理を使用者装置が行うように、前記最初のポイントツーマルチポイントサービスグループ識別子と関連したポイントツーマルチポイントサービス識別子のリストを含む第２のメッセージを前記制御チャネルを通して伝送するように調節される伝送機を含む。
【０１１２】
更に他の実施例において、無線通信システムでポイントツーマルチポイントサービスを通信する方法は、制御チャネルを通してネットワークのための最初の複数個の活性化されたポイントツーマルチポイントサービスと関連した最初のポイントツーマルチポイントサービスグループ識別子を受信する段階、及び最初の制御情報を用いてポイントツーマルチポイントサービスを受信する段階を含む。また、前記通信方法は、変更サービス情報メッセージ及び非変更サービス情報メッセージのうち一つ以上を含むポイントツーマルチポイントサービスメッセージを受信する段階を含み、前記ポイントツーマルチポイントサービスメッセージは、２番目の複数個の活性化されたポイントツーマルチポイントサービスと関連した２番目のポイントツーマルチポイントサービスグループ識別子、及び前記２番目の複数個の活性化されたポイントツーマルチポイントサービスと関連した変更された制御情報を含む。また、前記通信方法は、前記２番目のポイントツーマルチポイントサービスグループ識別子が、前記移動局によって受信されているポイントツーマルチポイントサービスと関連している場合、前記変更された制御情報に応答してポイントツーマルチポイントサービスの前記最初の制御情報を変更する段階を含む。
【０１１３】
本技術分野で熟練した者にとって、本発明の本質や範囲を逸脱しない範囲で、本発明の多様な修正および変動が可能であることは明白である。したがって、本発明は、添付の特許請求の範囲及びそれらに対する均等範囲内に符合するなら、上記のような修正及び変動を含む。
【図面の簡単な説明】
【０１１４】
【図１】ＵＭＴＳを示した図である。
【図２】３ＧＰＰ無線接続ネットワーク規格に基づいたＵＥとＵＴＲＡＮとの間の無線インターフェースプロトコルを示した構造図である。
【図３】論理チャネル、伝達チャネル及び物理チャネルのチャネルマッピングを示した図である。
【図４】ＭＢＭＳのためのＵＥ側でのチャネル構成を示した図である。
【図５】ＭＣＣＨ情報の伝送技法を示した図である。
【図６】本発明の一実施例に係る、ＭＢＭＳ伝送グループ識別子と一緒にＭＢＭＳ伝送識別子をマッピングすることによる情報伝達技法を示した図である。
【図７】本発明の実施例に係るＭＢＭＳ伝送グループ識別子またはサービスグループ識別子の伝送及び受信技法を示した図である。
【図８】本発明の実施例に係るＭＢＭＳ伝送グループ識別子またはサービスグループ識別子の伝送及び受信技法を示した図である。
【図９】本発明の実施例に係るＭＢＭＳ伝送グループ識別子またはサービスグループ識別子の伝送及び受信技法を示した図である。
【図１０】本発明の一実施例に係るＵＥ内での方法のフローチャートである。
【図１１】本発明の一実施例に係るＭＢＭＳ全体変更指示子を示した図である。
【図１２】本発明の他の実施例に係るＵＥ内での方法のフローチャートである。
【図１３】例示的なＵＥを示した図である。
【図１】
2008530850.tif 000015
【図２】
2008530850.tif 000016
【図３】
2008530850.tif 000017
【図４】
2008530850.tif 000018
【図５】
2008530850.tif 000019
【図６】
2008530850.tif 000020
【図７】
2008530850.tif 000021
【図８】
2008530850.tif 000022
【図９】
2008530850.tif 000023
【図１０】
2008530850.tif 000024
【図１１】
2008530850.tif 000025
【図１２】
2008530850.tif 000026
【図１３】
2008530850.tif 000027
【国際調査報告】
2008530850.tif 000028
2008530850.tif 000029
2008530850.tif 000030